(57)【特許請求の範囲】
【請求項１】
ボールを用いて復水器の細管内壁を洗浄する復水器細管洗浄装置に用いられるボール選別投入器であって、
前記復水器細管洗浄装置は、
前記復水器の細管内壁を洗浄した後のボールを回収し、前記復水器に供給される冷却水に回収したボールを投入するようにした復水器細管洗浄装置であり、
ボール選別投入器は、前記回収経路から分岐した後にまた回収経路に合流する経路に設けられ、
複数のリング状の板で厚さ方向に所定距離仕切られて複数の入口弁が形成されたスクリーンを備え、前記入口弁を通過したボールは磨耗ボールとして排出し、前記入口弁を通過しないボールは使用可能なボールとして前記回収経路に送るようにすると共に、
前記リング状のスクリーンの中心部に回転軸を有し、先端部が前記入口弁内に位置し先端部の厚さが前記入口弁の所定距離よりも小さい櫛歯状の回転可能なブレードにより、前記入口弁内に停滞したボールを外側に押し戻すように構成したことを特徴とする復水器細管洗浄装置に用いられるボール選別投入器。
【請求項２】
ボールを用いて復水器の細管内壁を洗浄する復水器細管洗浄装置に用いられるボール選別投入器であって、
前記復水器細管洗浄装置は、
前記復水器の細管内壁を洗浄した後のボールを捕集し、捕集したボールを、ボール循環ポンプを経てボール回収器に回収し、前記復水器に冷却水を供給する循環水配管に投入するようにした復水器細管洗浄装置であり、
ボール選別投入器は、前記ボール循環ポンプと前記ボール回収器との間から弁を介して分岐した後に前記循環水配管に合流する経路に設けられ、
複数のリング状の板で厚さ方向に所定距離仕切られて複数の入口弁が形成されたスクリーンを備え、前記入口弁を通過したボールは磨耗ボールとして排出し、前記入口弁を通過しないボールは使用可能なボールとして前記循環水配管に送るようにすると共に、
前記入口弁を通過した磨耗ボールを計数する計数装置と、該計数装置の計数結果に応じて新品ボールを前記経路内に補給するボール貯蔵器と、前記リング状のスクリーンの中心部に回転軸を有し、先端部が前記入口弁内に位置し先端部の厚さが前記入口弁の所定距離よりも小さい櫛歯状の回転可能なブレードを備えたことを特徴とする復水器細管洗浄装置に用いられるボール選別投入器。
【発明の詳細な説明】
【０００１】
【発明の属する技術分野】
本発明は、火力・原子力発電設備に用いられる復水器細管洗浄システムのボール自動選別器でのボール詰まりを防止する装置に関するものである。
【０００２】
【従来の技術】
火力・原子力発電設備においては、タービン発電機に連結される復水器の伝熱管（細管）内には冷却用の海水が通過するため、適切な保守を行わないと水垢や海水生成物が前記細管内壁に付着し、冷却効率の低下を招く。細管内壁の清浄度を所定値に維持する目的で、通常の運転中にボール洗浄を実施している。これは内部に空洞を有した柔らかい合成樹脂製（いわゆるスポンジ）のボールを準備し、細管にこれを通過させて内壁に付着した水垢，海水生成物等を掻き落すものである。
【０００３】
例えば前記ボールを使用して１日に１回程度の洗浄運転で対応し、細管に過度の汚れが生じると１日に２〜３回洗浄運転を行っている。前記ボールは、初期には前記細管の内径より僅かに大きい外径としているが、長時間の使用によって外形が磨耗し、細管内径より小さくなる。この大きさが所定値以下になると、洗浄効果が減少してしまうので、経験的に決めた所定時間（回数）使用した後、ボール回収器に収納し、全数新品と交換するか、選別器に投入して外形の寸法が所定値より小さいものを廃棄し、その数量分を補充して大きいものだけを再使用するようにして次の洗浄に対処していた。
【０００４】
【発明が解決しようとする課題】
しかしながら前記選別器のスクリーンにボールが挟まりやすく、停滞したこのボールを監視，除去するために定期点検が必要であった。また、そのボールを選別器へ投入したり、ボールを交換したりする作業は手作業で行っているため、煩雑であることから、所定期間使用した後、全数交換する方法が一般的に行われていた。したがって経済的には得策でない問題があった。
【０００５】
本発明の目的は、ボールがスクリーンに停滞せず、磨耗により外径が小さくなって使用できなくなったボールと、使用できるボールとの選別、及び新品ボールの補充が自動的にできる、復水器細管洗浄装置のボール選別投入器を提供することにある。
【０００６】
【課題を解決するための手段】
本発明は上記目的を達成するため、特許請求の範囲に記載のように構成する。一例としては、復水器の細管内壁を洗浄するボール洗浄装置において、ボール循環ポンプからボール回収器に至る経路に設けられたバルブと、循環水配管にボールを投入するボール投入管との間に設置されたボール選別投入器であって、シャフトにより回転する櫛歯状のブレードと、複数のリング状の板で厚さ方向に所定距離仕切られて複数の入口弁が形成されたスクリーンと、このスクリーンを通過したボールの個数を計数する計数装置と、この結果に対応した個数の新品ボールを供給するボール貯蔵器とを備え、前記所定距離を使用不可能となった前記ボールの外形以上に設定するとともに、前記ブレードの回転によって前記櫛歯先端が前記入口弁に停滞したボールを押し戻すようにしたことを特徴とする。
【０００７】
この例では、押し戻されたボールは使用可能であり、ボール出口より排出されボール投入管を介して循環水配管に投入される。
【０００８】
【発明の実施の形態】
図１は、本発明のボール選別投入器を設置した、ボールによる復水器細管洗浄装置の実施例である。
【０００９】
１は冷却用の循環水で、海水を源として取水口より取り込む。２は上部がタービン発電機に連結される復水器、３はボール捕集器、４はボール循環ポンプ、６はボール回収器、７はボール投入管、８はボール、９は復水器２に多数本設置された細管、１０は循環水配管である。
【００１０】
洗浄運転では、ボール循環ポンプ４を起動し、ボール回収器６から排出されたボール８を、ボール投入管７を介し循環水１中に投入して復水器２の細管９を通過させる。この通過によって細管９の内壁に付着した水垢や海水生成物は掻き落され、通過後はその汚れを含んだ循環水１と共にボール捕集器３に集められる。循環水１の一部は出口から排出し、一部はボール８と共にボール循環ポンプ４を経てボール回収器６に戻る。以下数十分の間に数回、この循環作用を行う。
【００１１】
点線で囲んだ部分が、本発明のボール選別投入器５を含む選別システムで、
１１はボール貯蔵器、１２はボール計量器、１３は磨耗ボール計数装置である。
【００１２】
図はボール選別投入器５が動作する際、ボール回収器６の入口側弁は閉じられ、ボール循環ポンプ４からボール８がボール選別投入器５側に流れ込む状態を示している。このときボール投入管７の入口側弁は、ボール回収器６側が遮断されている。
【００１３】
ボール循環ポンプ４から排出されたボール８は、ボール選別投入器５に導入され、後述する動作によって磨耗した使用不可のものと、再使用可能なものとに選別される。使用不可のボールは磨耗ボール計数装置１３でその数量が計数され、その個数に対応した新品ボールがボール貯蔵器１１から供給される。ボール計量器１２で数量が測定された後、ボール選別投入器５を経由してボール投入管７へ送られる。
【００１４】
図２は本発明のボール選別投入器の詳細を示す一部断面図、図３は図２の上方からシャフト１４ａ，ブレード１５，スクリーン１６を見た平面図、図４はスクリーンに挟まったボールを押し出す状況の説明図である。
【００１５】
シャフト１４ａは櫛歯状のブレード１５と一体化され、軸受１４ｂに回転自在に支承されている。１７は新品ボールが投入されるボール投入口、１８はボール循環ポンプ４から送られるボール８が流入するボール入口、１９はボール出口、２０は磨耗ボール排出口、８ａは所定外形以上の大きさを有した使用可能なボールで、８ｂは磨耗して所定外形以下の大きさとなった使用不可能なボールである。
【００１６】
スクリーン１６は複数のリング状の板を、所定距離をもって上下に重ねて複数の入口弁１６ａを形成したものである。入口弁１６ａの上下方向寸法は、磨耗して使用できない外形寸法以下のボール８ｂが通過できる値としてある。したがって入口弁１６ａ付近に所定の外形寸法以下に磨耗したボール８ｂが移動してくると、入口弁１６ａを通過して上方の磨耗ボール排出口２０側に流される。
【００１７】
磨耗ボール排出口２０から流されたボール８ｂは、磨耗ボール計数装置１３を通過して収納籠に保管されるが、この計数結果に基づき図示しない制御手段によってその個数に対応した新品ボールがボール貯蔵器１１から供給される。ボール計量器１２で数量が測定された後、ボール投入口１７からボール選別投入器５に補充される。そしてボール出口１９を介してボール投入管７へ送られる。ここで、ボール貯蔵器１１に保存されている新品ボールは、予め含水させたものを使用する。ボール貯蔵器１１に未含水ボールを投入する場合は、投入弁と計量器１２との間に含水室を設置しておくことで対応できる。
【００１８】
使用できる外形寸法以上のボール８ａは、大部分はボール出口１９側に流されるが、弾性変形によって入口弁１６ａに挟まり停滞するものが一部ある。シャフト１４ａが回転すると、図４で示すように、入口弁１６ａに挟まっていたボール８ａにブレード１５の櫛歯先端が当たり、ボール８ａは矢印のように押し出されてボール出口１９側に流される。ここでブレード１５の櫛歯先端は、ボール８ａに当たった際押し出されやすい形状、及びスクリーン１６の最外形との距離等、最適な仕様に設定してある。このため、ブレード１５の回転によって挟まったボールが自動的に押し出され、停滞が防止されることとなる。
【００１９】
【発明の効果】
本発明によれば、ボールがスクリーンに停滞せず、磨耗により外形が小さくなって使用できなくなったボールと、使用できるボールとの選別、及び新品ボールの補充が自動的に可能になる。
【図面の簡単な説明】
【図１】本発明のボール選別投入器を洗浄システムに適用した図である。
【図２】本発明のボール選別投入器の詳細を示す図である。
【図３】図２の上方からスクリーンとブレードを見た図である。
【図４】スクリーンに挟まったボールを押し出す状況の説明図である。
【符号の説明】
１…循環水、２…復水器、４…ボール循環ポンプ、５…ボール選別投入器、６…ボール回収器、７…ボール投入管、８…ボール、９…細管、１０…循環水配管、１１…ボール貯蔵器、１３…磨耗ボール計数装置、１４ａ…シャフト、１５…ブレード、１６…スクリーン、１６ａ…入口弁。
【図１】
0003872975.tif 000002
【図２】
0003872975.tif 000003
【図３】
0003872975.tif 000004
【図４】
0003872975.tif 000005